(57)【要約】【課題】蓋の開閉が容易であると共に、コンパクトに蓋を開閉し得る食品陳列用容器を提供すること。【解決手段】上面が開口した箱状の平面視略矩形の容器本体１０と、該容器本体１０の開口を塞ぐ平面視略矩形の蓋体５０とからなり、前記蓋体５０が前記容器本体１０の端部に開閉自在に係止されている蓋付き食品陳列容器１であって、上記蓋体５０が係止されている端部とは反対側の容器本体１０の端部の少なくとも一方の角部が隅切りされ、該容器本体１０の隅切り部１４よりも外方に突出することとなる蓋体５０の角部が取っ手部７０とされていることを特徴とする。【選択図】  図２
0003165350.tif 000002
【実用新案登録請求の範囲】
【請求項１】
上面が開口した箱状の平面視略矩形の容器本体と、該容器本体の開口を塞ぐ平面視略矩形の蓋体とからなり、前記蓋体が前記容器本体の端部に開閉自在に係止されている蓋付き食品陳列容器であって、上記蓋体が係止されている端部とは反対側の容器本体の端部の少なくとも一方の角部が隅切りされ、該容器本体の隅切り部よりも外方に突出することとなる蓋体の角部が取っ手部とされていることを特徴とする、食品陳列用容器。
【請求項２】
上記蓋体が係止されている端部とは反対側の容器本体及び蓋体の端部が、水平方向外方に延設されたフランジ部で構成され、該容器本体のフランジ部の少なくとも一方の角部が隅切りされ、該容器本体のフランジ部の隅切り部よりも外方に突出することとなる蓋体のフランジ部の角部が取っ手部とされていることを特徴とする、請求項１に記載の食品陳列用容器。
【請求項３】
上記容器本体及び上記蓋体の四つの全ての端部が、水平方向外方に延設されたフランジ部で構成されていることを特徴とする、請求項２に記載の食品陳列用容器。
【請求項４】
上記蓋体が係止されている端部側であって、少なくとも上記隅切りされている角部側の、容器本体及び蓋体の角部も隅切りされていることを特徴とする、請求項１〜３のいずれかに記載の食品陳列用容器。
【請求項５】
上記蓋体が上方に膨出した形状を有しており、該蓋体の取っ手部とされた角部付近の蓋体の膨出部にリブが形成されていることを特徴とする、請求項１〜４のいずれかに記載の食品陳列用容器。
【請求項６】
上記リブが取っ手部とされた蓋体の角部を指し示す矢印形状に形成されていることを特徴とする、請求項５に記載の食品陳列用容器。
【請求項７】
上記蓋体が係止されている端部とは反対側の容器本体の端部に切り欠きが形成され、該容器本体の切り欠き部よりも外方に突出することとなる蓋体の端部が更に取っ手部とされていることを特徴とする、請求項１〜６のいずれかに記載の食品陳列用容器。
【請求項８】
上記蓋体が上記容器本体の長辺側の端部に係止されていることを特徴とする、請求項１〜７のいずれかに記載の食品陳列用容器。
【請求項９】
上記蓋体が透明樹脂シート成形体により構成されていることを特徴とする、請求項１〜８のいずれかに記載の食品陳列用容器。
【考案の詳細な説明】
【技術分野】
【０００１】
本考案は、食品陳列用容器に関するものである。
【背景技術】
【０００２】
スーパーマーケット等において、カツ、コロッケ、天ぷら等の惣菜は、それらをトレー上に並べた状態で販売されており、購買者は、そこからトングで惣菜を挟んで取り出し、別の容器に入れてレジまで持参する。
このように惣菜が、トレー上に裸のまま並べられていると、周囲から塵埃等が付着する虞があり、非衛生的である。
そこで、スーパーマーケットによっては、透明な蓋を有する容器、例えば、特許文献１、特許文献２等に記載された食品陳列用容器を使用し、容器内に惣菜を並べた状態で収容し、蓋をして食品を保護し、購入する際に、購買者が蓋を開けて中から惣菜を取り出し、その後蓋を閉じるようにしている。
【先行技術文献】
【特許文献】
【０００３】
【特許文献１】実用新案登録第３０９３２００号
【特許文献２】実用新案登録第３１５４６１４号
【考案の概要】
【考案が解決しようとする課題】
【０００４】
しかしながら、上記した特許文献等に開示された食品陳列用容器にあっては、蓋の開閉を容易にするため、蓋に側方に突出した取っ手が形成されており、該取っ手が、複数の食品陳列用容器を並べて載置した場合等に、隣り合う食品陳列用容器に引っ掛かり、蓋が開け難い場合があった。また、突出した取っ手の存在により、食品陳列用容器を密接した状態で並べることができず、容器の陳列個数が制限されると共に、蓋の外形寸法がその分大きくなり、蓋の開閉時に上方の陳列棚等にあたることがあった。
【０００５】
本考案は、上述した背景技術が有する課題に鑑みなされたものであって、その目的は、蓋の開閉が容易であると共に、コンパクトに蓋を開閉し得る食品陳列用容器を提供することにある。
【課題を解決するための手段】
【０００６】
上記した目的を達成するため、請求項１の食品陳列用容器は、上面が開口した箱状の平面視略矩形の容器本体と、該容器本体の開口を塞ぐ平面視略矩形の蓋体とからなり、前記蓋体が前記容器本体の端部に開閉自在に係止されている蓋付き食品陳列容器であって、上記蓋体が係止されている端部とは反対側の容器本体の端部の少なくとも一方の角部が隅切りされ、該容器本体の隅切り部よりも外方に突出することとなる蓋体の角部が取っ手部とされていることを特徴とする。
【０００７】
また、請求項２の食品陳列用容器は、上記請求項１の考案において、上記蓋体が係止されている端部とは反対側の容器本体及び蓋体の端部が、水平方向外方に延設されたフランジ部で構成され、該容器本体のフランジ部の少なくとも一方の角部が隅切りされ、該容器本体のフランジ部の隅切り部よりも外方に突出することとなる蓋体のフランジ部の角部が取っ手部とされていることを特徴とする。
【０００８】
また、請求項３の食品陳列用容器は、上記請求項２の考案において、上記容器本体及び上記蓋体の四つの全ての端部が、水平方向外方に延設されたフランジ部で構成されていることを特徴とする。
【０００９】
また、請求項４の食品陳列用容器は、上記請求項１〜３のいずれかの考案において、上記蓋体が係止されている端部側であって、少なくとも上記隅切りされている角部側の、容器本体及び蓋体の角部も隅切りされていることを特徴とする。
【００１０】
また、請求項５の食品陳列用容器は、上記請求項１〜４のいずれかの考案において、上記蓋体が上方に膨出した形状を有しており、該蓋体の取っ手部とされた角部付近の蓋体の膨出部にリブが形成されていることを特徴とする。
【００１１】
また、請求項６の食品陳列用容器は、上記請求項５の考案において、上記リブが取っ手部とされた蓋体の角部を指し示す矢印形状に形成されていることを特徴とする。
【００１２】
また、請求項７の食品陳列用容器は、上記請求項１〜６のいずれかの考案において、上記蓋体が係止されている端部とは反対側の容器本体の端部に切り欠きが形成され、該容器本体の切り欠き部よりも外方に突出することとなる蓋体の端部が更に取っ手部とされていることを特徴とする。
【００１３】
また、請求項８の食品陳列用容器は、上記請求項１〜７のいずれかの考案において、上記蓋体が上記容器本体の長辺側の端部に係止されていることを特徴とする。
【００１４】
また、請求項９の食品陳列用容器は、上記請求項１〜８のいずれかの考案において、上記蓋体が透明樹脂シート成形体により構成されていることを特徴とする。
【考案の効果】
【００１５】
上記した請求項１の食品陳列用容器によれば、容器本体の隅切り部よりも外方に突出することとなる蓋体の角部が取っ手部とされているため、該取っ手部を使って蓋体の開閉を容易に行うことができると共に、従来のように側方に突出した取っ手が存在しないため、取っ手が隣り合う食品陳列用容器に引っ掛かったり、上方の陳列棚等にあたることがなく、コンパクトな蓋体の開閉が可能となる。
【００１６】
また、上記した請求項２の食品陳列用容器によれば、蓋体が係止されている端部とは反対側の容器本体及び蓋体の端部が、水平方向外方に延設されたフランジ部で構成され、該容器本体のフランジ部の少なくとも一方の角部が隅切りされ、該容器本体のフランジ部の隅切り部よりも外方に突出することとなる蓋体のフランジ部の角部が取っ手部とされているため、剛性に優れた食品陳列用容器となると共に、蓋体の開閉をより容易に行うことができる。
【００１７】
また、上記した請求項３の食品陳列用容器によれば、容器本体及び蓋体の四つの全ての端部が、水平方向外方に延設されたフランジ部で構成されているため、さらに剛性に優れた食品陳列用容器となると共に、外部からの塵埃等の侵入を効果的に防ぐことができる。
【００１８】
また、上記した請求項４の食品陳列用容器によれば、蓋体が係止されている端部側であって、少なくとも上記隅切りされている角部側の、容器本体及び蓋体の角部も隅切りされているため、複数の該食品陳列用容器を蓋体が係止されている端部と反対側の端部とを隣接させて密接した状態で並べた場合においても、取っ手部とされた蓋体の角部に指等を差し入れ易いものとなり、蓋体の開閉を容易に行うことができる。
【００１９】
また、上記した請求項５の食品陳列用容器によれば、蓋体の取っ手部とされた角部付近の蓋体の膨出部にリブが形成されているため、蓋体が膨出した形状を有していても、その部分の剛性が向上し、蓋体の開閉時に形状が維持される。
【００２０】
また、上記した請求項６の食品陳列用容器によれば、上記リブが取っ手部とされた蓋体の角部を指し示す矢印形状に形成されているため、購買者が該蓋体の角部を取っ手と判断し易いものとなる。
【００２１】
また、上記した請求項７の食品陳列用容器によれば、容器本体の切り欠き部よりも外方に突出することとなる蓋体の端部が更に取っ手部とされているため、該取っ手部を使っても蓋体の開閉ができると共に、該取っ手部は従来のように側方に突出したものではないため、取っ手が隣り合う食品陳列用容器に引っ掛かったり、上方の陳列棚等にあたることがなく、コンパクトな蓋体の開閉が可能となる。
【００２２】
また、上記した請求項８の食品陳列用容器によれば、蓋体が容器本体の長辺側の端部に係止されているため、蓋体の開閉時の軌道高さが低いものとなり、よりコンパクトな蓋体の開閉が可能となる。
【００２３】
また、上記した請求項９の食品陳列用容器によれば、蓋体が透明樹脂シート成形体で構成されているため、寸法精度がよく、内容物を厳密に吟味することができる。
【図面の簡単な説明】
【００２４】
【図１】本考案に係る食品陳列用容器の一実施の形態を示した分解斜視図である。
【図２】図１に示した食品陳列用容器を組み付け、蓋を閉じた状態を示した斜視図である。
【図３】図２に示した食品陳列用容器の蓋を開けた状態を示した斜視図である。
【図４】図２におけるＡ−Ａ線に沿う部分の拡大断面図である。
【図５】図２におけるＢ−Ｂ線に沿う部分の拡大断面図である。
【図６】図２に示した食品陳列用容器を密接した状態で並べた平面図である。
【考案を実施するための形態】
【００２５】
以下、上記した本考案に係る食品陳列用容器を、図面に示した実施の形態に基づいて詳細に説明する。
【００２６】
図１乃至図６は、本考案に係る食品陳列用容器を示しており、該食品陳列用容器１は、上面が開口した箱状の平面視略矩形の容器本体１０と、該容器本体１０の開口を塞ぐ平面視略矩形の蓋体５０とから構成されている。
【００２７】
上記容器本体１０は、惣菜等を並べて収容する上面が開口した収容空間１１を有している。そして、蓋体５０の組み付け部は該容器本体１０の長辺側の端部であり、該蓋体５０の組み付け部を容器本体１０の後方としたとき、図１等に示したように、前記収容空間１１を画成する前面壁１２ａ、両側面壁１２ｂ，１２ｂ、後面壁１２ｃの上端には、その全周にわたって外方へ拡張されたフランジ部１３が形成され、該フランジ部１３の四つの角部は隅切りされ、３角形状の隅切り部１４がそれぞれ形成されている。また、図４及び図５等に示したように、該フランジ部１３の周縁は一旦下方に折り曲げられ、さらに水平方向外方へ張り出す縁部１５が形成され、容器本体１０の開口端縁の補強が図られている。
なお、上記フランジ部１３を設けることなく、上記容器本体１０の隅切り部１４を、容器本体を構成する前面壁１２ａと側面壁１２ｂとの稜線部である角部や、後面壁１２ｃと側面壁１２ｂとの稜線部である角部に形成したものとしてもよい。
【００２８】
また、前面壁１２ａのフランジ部１３ａには、その長手方向中央付近に切り欠き部１６が形成され、該切り欠き部１６の両側のフランジ部１３ａには、その幅方向中央付近に凹条１７が形成されている。また、両側面壁１２ｂ，１２ｂのフランジ部１３ｂ，１３ｂには、ほぼ全長にわたってその幅方向中央付近にやはり凹条１７が形成されている。また、後面壁１２ｃのフランジ部１３ｃは、上記フランジ部１３ａ，１３ｂ，１３ｂよりも幅が広く形成され、そして、このフランジ部１３ｃには、斜め上方に向けて上記収容空間１１に開口された３つの凹部１８が形成され、該凹部１８によって後面壁１２ｃの外方に向けて張り出すリブ１９が構成され、該後面壁１２ｃの補強が図られている。また、このフランジ部１３ｃの凹部１８を除く部分には、上方に開口する四つの円形凹部２０が形成されている。また、容器本体１０の底面壁１２ｄには、斜め帯状の凸模様２１が収容空間１１に突出形成されている。
【００２９】
一方、上記容器本体１０の開口を塞ぐ蓋体５０は、中央がドーム状に膨出形成され、それによって下方に向けて開放された天井空間５１が画成されている。この蓋体５０は、上記容器本体１０とほぼ同じ外郭を有しており、容器本体１０の長辺側の端部において組み付けられ、この組み付け部を蓋体５０の後方としたとき、図１等に示したように、前記天井空間５１を画成する前面壁５２ａ、両側面壁５２ｂ，５２ｂ、後面壁５２ｃの下端には、その全周にわたって外方へ拡張されたフランジ部５３が形成されている。そして、該フランジ部５３の容器本体１０との組み付け部側の二つの角部は隅切りされ、３角形状の隅切り部５４が形成されていると共に、組み付け部とは反対側の二つの角部にはリブ５５が形成され、その角部の補強が図られている。
なお、上記フランジ部５３を設けることなく、上記蓋体５０の隅切り部５４を、蓋体を構成する後面壁５２ｃと側面壁５２ｂとの稜線部である角部に形成したものとしてもよい。
【００３０】
また、前面壁５２ａ及び該前面壁５２ａのフランジ部５３ａには、その中央付近にそれぞれリブ５６，５７が形成され、その部分の補強が図られ、前記リブ５６の両側のフランジ部５３ａには、その幅方向中央付近に下方に突出する凸条５８が形成されている。また、両側面壁５２ｂ，５２ｂのフランジ部５３ｂ，５３ｂには、ほぼ全長にわたってその幅方向中央付近にやはり下方に突出する凸条５８が形成されている。
【００３１】
また、後面壁５２ｃのフランジ部５３ｃは、上記フランジ部５３ａ，５３ｂ，５３ｂよりも幅が広く形成され、そして、この後面壁５２ｃのフランジ部５３ｃには、図１及び図４等に示したように、下方へ突出する四つの円形凸部５９が形成され、それらの間には上方へ突出する３つの台部６０が形成されている。また、後面壁５２ｃの前記台部６０に対応する位置には、外方へ突出する３つの凸部６１が形成されている。また、このフランジ部５３ｃには、前記台部６０と後面壁５２ｃとの間にヒンジ６２が形成されている。このヒンジ６２は、フランジ部５３ｃの幅方向に溝や断続した切り込みを形成することによって構成してもよく、又は折癖をつけることによって構成してもよい。
【００３２】
さらに、前面壁５２ａと側面壁５２ｂ，５２ｂの会合部である角部付近の蓋体５０の膨出部には、図１等に示したように、角部から蓋体の中央部方向へと向かって凸条のリブ６３が形成され、該リブ６３は角部を指し示す矢印形状を有している。そして、該リブ６３により、その部分の補強が図られていると共に、購買者が取っ手部となる該蓋体５０の角部に意識が向くようにされている。
【００３３】
上記食品陳列用容器１を構成する容器本体１０及び蓋体５０は、いずれも合成樹脂シートの成形品で構成されていることが好ましく、その合成樹脂シートの基材樹脂としては、スチレンの単独重合体、スチレンと他のモノマーとを共重合したスチレン系共重合体、スチレンの単独重合体及び／又はスチレン系共重合体とスチレン−ブタジエンブロック共重合体などのスチレン系エラストマーとの混合物、ゴム状重合体の存在下でスチレン系モノマーを重合することによって得られるゴム変性スチレン系樹脂（耐衝撃性ポリスチレン）、或いは上記したスチレン系の樹脂と他の樹脂及び／又はゴム状重合体との混合物等の、スチレン成分比率が５０重量％以上であるポリスチレン系樹脂或いはポリスチレン系樹脂組成物；エチレンの単独重合体、エチレンと他のモノマーとを共重合したエチレン系共重合体、エチレンの単独重合体及び／又はエチレン系共重合体にスチレン系モノマー等のビニルモノマーを含浸させて重合してなる変性エチレン系樹脂、或いは上記エチレン系の樹脂と他の樹脂及び／又はゴム状重合体との混合物等の、エチレン成分比率が５０重量％以上であるポリエチレン系樹脂或いはポリエチレン系樹脂組成物；プロピレンの単独重合体、プロピレンと他のモノマーとを共重合したプロピレン系共重合体、プロピレンの単独重合体及び／又はプロピレン系共重合体にスチレン系モノマー等のビニルモノマーを含浸させて重合してなるグラフト変性プロピレン系樹脂、或いは上記プロピレン系の樹脂と他の樹脂又は／及びゴム状重合体との混合物等の、プロピレン成分比率が５０重量％以上であるポリプロピレン系樹脂或いはポリプロピレン系樹脂組成物；ポリエチレンテレフタレート、ポリブチレンテレフタレート、テレフタル酸とエチレングリコールとシクロヘキサンジメタノールとの共重合体等の芳香族ポリエステル樹脂；ポリカーボネート樹脂；ポリアミド樹脂；ポリフェニレンエーテル樹脂；或いは上記した樹脂の２以上の混合物等が例示される。
【００３４】
特に上記の中でも、容器本体１０としては、ポリスチレン系樹脂、ポリスチレン系樹脂組成物、ポリプロピレン系樹脂或いはポリプロピレン系樹脂組成物を基材樹脂とする熱可塑性樹脂シートからなるものがコスト面、及び強度と軽量性とのバランスに優れる点で好ましく、その中でも、ポリプロピレン系樹脂或いはポリプロピレン系樹脂組成物を基材樹脂とする熱可塑性樹脂シートからなるものは、耐油性及び耐熱性が高いことから好ましく、また、ポリスチレン系樹脂或いはポリスチレン樹脂組成物を基材樹脂とする熱可塑性樹脂シートからなるものは、特に安価である上、熱成形性に優れ所望の形状どおりに成形し易いことから好ましい。また、容器本体１０としては、断熱性等の物性が要求される場合には、発泡の熱可塑性樹脂シートからなるものであってもよい。
【００３５】
一方、蓋体５０としては、上記した樹脂又は樹脂組成物を基材樹脂とする透明性の高い樹脂、中でも、ポリスチレン系樹脂，ポリエステル系樹脂，ポリプロピレン系樹脂から選択される一種以上の熱可塑性樹脂シートからなるものが好適に使用される。上記ポリプロピレン系樹脂としては、テルペン樹脂等の透明性改良剤をポリプロピレン系樹脂に添加したものや、ポリプロピレン系樹脂の結晶性を調整したもの等が挙げられる。
【００３６】
上記熱可塑性樹脂シートは、通常、厚み０．３〜８．０ｍｍであるが、特に、厚み０．５〜５．０ｍｍであると熱成形に優れるため好ましい。
上記熱可塑性樹脂シートが非発泡である場合、容器本体１０として使用される場合には、その厚みは０．１〜３．０ｍｍが好ましく、０．２〜２．０ｍｍがより好ましい。一方、蓋体５０として使用される場合には、その厚みは０．０７〜２．０ｍｍが好ましく、０．１〜１．０ｍｍがより好ましい。
なお、熱可塑性樹脂シートとしては、フィルムが積層された積層体であってもよい。
【００３７】
上記熱可塑性樹脂シートは、従来周知の方法にて製造され、該熱可塑性樹脂シートを従来周知の真空成形、圧空成形等の熱成形手段により成形することにより、上記容器本体１０及び蓋体５０を得ることができる。また、上記熱可塑性樹脂シートは、着色剤、無機充填剤等の各種添加剤を配合したものとすることもできる。
【００３８】
上記のように構成された容器本体１０と蓋体５０とは、図４等に示したように、蓋体５０の後面壁５２ｃのフランジ部５３ｃに形成された円形凸部５９を、容器本体１０の後面壁１２ｃのフランジ部１３ｃに形成された円形凹部２０に嵌合することによって、蓋体５０が容器本体１０の長辺側の端部において組み付けられる。
この組み付け方法により、容器本体１０と蓋体５０とを強固に信頼性高く結合できるが、蓋体５０の容器本体１０への組み付け方法の他の態様としては、蓋体の後端側に舌片を設け、容器本体の後端側のフランジ部に切り込みを設け、該切り込みに上記舌片を挿入することによって、容器本体に蓋体を開閉自在に係止する態様などが挙げられる。
【００３９】
上記のようにして組み付けられた容器本体１０と蓋体５０とは、容器本体１０のフランジ部１３ｃと蓋体５０のフランジ部５３ｃとが強固に結合されたものとなると共に、図５等に示したように、容器本体１０のフランジ部１３ａ，１３ｂ，１３ｂに形成した凹条１７に、蓋体５０のフランジ部５３ａ，５３ｂ，５３ｂに形成した凸条５８が挿嵌され、容器本体１０と蓋体５０とが良好に位置決めされると共に、食品陳列容器の剛性を高めることができ、さらに外部からの塵埃等の侵入を効果的に防ぐことができる食品陳列用容器１となる。
【００４０】
また、上記のように組み付けられた容器本体１０と蓋体５０とは、図２等に示したように、容器本体１０の蓋体５０が係止されている端部とは反対側の容器本体１０の角部に形成した隅切り部１４に蓋体５０の角部が突出することとなり、該蓋体５０の角部を取っ手部７０として利用することができるものとなる。また、購買者は、蓋体５０に形成された該角部を指し示す矢印形状のリブ６３により、この蓋体５０の角部を取っ手と判断し易いものとなる。また、容器本体１０の蓋体５０が係止されている端部とは反対側の容器本体１０の端部中央付近に形成した切り欠き部１６に蓋体５０の端部中央付近が突出することとなり、該蓋体５０の端部中央付近をも取っ手部７０として利用することができるものとなる。
【００４１】
上記した食品陳列用容器１は、その容器本体１０の収容空間１１に惣菜等を並べて、陳列棚等に置かれる。その際、惣菜等から汁が流れ出た場合には、汁は容器本体１０の底面壁１２ｄに形成した凸模様２１，２１間の溝に流れ込み、惣菜等の底面が濡れるのを防止することができる。
そして、購買者は、取っ手として利用することができる蓋体５０の角部或いは蓋体５０の端部中央付近に指等を差し入れ、蓋体５０を上方に引き上げることにより、図３に示したように、ヒンジ６２を中心にして蓋体５０を開くことができる。そこで、購買者は、容器本体１０の収容空間１１から惣菜等を取り出すことができる。
この際、取っ手部７０は、従来のように側方に突出したものではないため、上方の陳列棚等にあたることがなく、コンパクトな蓋体の開閉が可能となり、さらに複数の食品陳列容器をその長辺を前後方向として、かつ長辺側を隣接させて並置する場合にも、取っ手が隣り合う食品陳列用容器に引っ掛かったりすることがなく、図６に示したように、密接させた状態で並べることが可能となる。また、蓋体５０が係止されているフランジ部側の容器本体１０及び蓋体５０の角部も隅切りされているため、図６に示したように、該食品陳列用容器１を密接した状態で並べた場合においても、取っ手部７０とされる蓋体５０の角部は指等を差し入れ易いものとなり、蓋体の開閉を容易に行うことができる。
【００４２】
この食品陳列用容器１の外形寸法は、図示した実施の形態のものにあっては、幅３００ｍｍ、長さ３５０ｍｍ、高さ１００ｍｍ程度であり、容器本体１０の高さは、４０ｍｍ程度である。そして、蓋体５０は、容器本体１０の長辺側の端部に係止されており、開成時の蓋体５０の先端部高さは、３２０ｍｍ程度である。
【００４３】
以上、本考案に係る食品陳列用容器の実施の形態を説明したが、本考案は、何ら既述の実施の形態に限定されるものではなく、実用新案登録請求の範囲に記載した本考案の技術的思想の範囲内において、種々の変形、変更を加えた食品陳列用容器とすることができることは当然である。
【符号の説明】
【００４４】
１    食品陳列用容器
１０    容器本体
１１    収納空間
１２ａ    前面壁
１２ｂ    側面壁
１２ｃ    後面壁
１２ｄ    底面壁
１３，１３ａ，１３ｂ，１３ｃ    フランジ部
１４    隅切り部
１５    縁部
１６    切り欠き部
１７    凹条
１８    凹部
１９    リブ
２０    円形凹部
２１    凸模様
５０    蓋体
５１    天井空間
５２ａ    前面壁
５２ｂ    側面壁
５２ｃ    後面壁
５３，５３ａ，５３ｂ，５３ｃ    フランジ部
５４    隅切り部
５５，５６，５７    リブ
５８    凸条
５９    円形凸部
６０    台部
６１    凸部
６２    ヒンジ
６３    矢印形状のリブ
７０    取っ手部
【図１】
0003165350.tif 000003
【図２】
0003165350.tif 000004
【図３】
0003165350.tif 000005
【図４】
0003165350.tif 000006
【図５】
0003165350.tif 000007
【図６】
0003165350.tif 000008